(57)【要約】 【課題】  使い勝手がよく患者を危険に晒すことのないデモ画面を有する生体情報モニタおよびデモ画面を有するセントラルモニタを提供する。【解決手段】  現在表示しているメニューと操作者が触れた位置の情報とから、デモモードに入るキーが押されたか否かを判定し、デモモードに入るキーが押されていないと判定された場合は他の処理に移り、デモモードに入るキーが押されたと判定された場合は患者ケーブルが接続されているか否かを判定し、患者ケーブルが接続されていると判定された場合は患者ケーブル接続警告メニューのダイアログを表示し、患者ケーブルが接続されていないと判定された場合はデモモードに入り擬似的な波形や数値を表示する。【選択図】  図４
2007215582.tif 000002
【特許請求の範囲】
【請求項１】
患者の生体情報を検出するためのケーブルないしはチューブが接続される１つ以上の患者入力部と、
前記患者入力部の各々に対応した患者入力検出手段と、
患者の生体パラメータを波形ないし数値によって出力する患者画面発生手段と、
デモの波形ないし数値を出力するデモ画面発生手段と、
前記患者入力検出手段の出力に基づき前記患者画面発生手段とデモ画面発生手段の出力信号のいずれかを選択する選択手段と、
前記選択手段が選択した出力信号を表示する表示手段とを有することを特徴とするデモ画面を有する生体情報モニタ。
【請求項２】
前記選択手段は、前記患者入力検出手段が患者入力部に患者に接続するためのケーブルないしはチューブが接続されていることを検出した場合には前記デモ画面発生手段の選択を行なわないことを特徴とする請求項１記載のデモ画面を有する生体情報モニタ。
【請求項３】
前記選択手段は、前記デモ画面発生手段の出力信号が選択されている場合に前記患者入力検出手段が患者入力部に患者に接続するためのケーブルないしはチューブが接続されたことを検出した場合には、前記患者画面発生手段の出力信号を選択し直すことを特徴とする請求項１記載のデモ画面を有する生体情報モニタ。
【請求項４】
警告を行なう警告手段をさらに有しており、患者入力検出手段が検出できないケーブルないしはチューブが患者入力部に接続されている場合に、前記ケーブルないしはチューブを使用する生体パラメータの計測開始が指示された時点で測定を行なう旨の警告を行なうことを特徴とするデモ画面を有する生体情報モニタ。
【請求項５】
請求項１に記載の生体情報モニタから出力された生体パラメータ情報を取得するセントラルモニタであって、前記生体情報モニタの選択手段が患者画面発生手段を選択している場合には当該患者の生体パラメータ情報を表示し、デモ画面発生手段の出力信号を選択している場合には表示を行なわないか警告を発することを特徴とするデモ画面を有するセントラルモニタ。
【発明の詳細な説明】
【技術分野】
【０００１】
本発明は、デモ画面を有する生体情報モニタおよびデモ画面を有するセントラルモニタに関する。
【背景技術】
【０００２】
従来より、集中治療室等で治療を受けている患者の状態を監視するための患者監視用装置として、生体情報モニタが知られている。この生体情報モニタでは、患者に取り付けたセンサを経由して患者の脈波、脈拍数、血圧、呼吸数等の生体情報をモニタするということが行なわれる。このような生体情報モニタにおいて、展示用や医療従事者の教育等の目的のためにデモ画面を表示することのできる生体情報モニタが知られている。
【０００３】
図１５は、従来の、デモ画面を有する生体情報モニタの外観を示す図である。
【０００４】
図１５に示す生体情報モニタ１５０には、表示部１５２と、その表示部１５２の下部に設けられた心電入力コネクタ１３，観血血圧入力コネクタ１４，酸素飽和度入力コネクタ１５，体温入力コネクタ１６，非観血血圧接続ジョイント１７，炭酸ガス濃度入力コネクタ１８が備えられている。これら心電入力コネクタ１３，観血血圧入力コネクタ１４，酸素飽和度入力コネクタ１５，体温入力コネクタ１６，非観血血圧接続ジョイント１７，炭酸ガス濃度入力コネクタ１８には、患者の生体情報をモニタするために、心電中継ケーブル，観血血圧中継ケーブル，酸素飽和度センサケーブル，体温プローブ，非観血血圧測定用のカフのチューブ，炭酸ガス濃度中継ケーブルが接続される。また、背面にはテレコントロールユニットを構成するダイバシティアンテナ１９ａ，１９ｂが備えられている。
【０００５】
ここで、上述したコネクタやジョイントに何も接続されていない状態で、表示部１５２の下部に設けられたメニューボタンを操作してデモモードを選択する。すると、表示部１５２上に心電図，呼吸，酸素飽和度といった生体パラメータが波形および数値で表示される。このため、いかにも患者をモニタしているかのように見せることができる。また、デモモードが選択された旨を知らせるために、表示部１５２の左上に「ＤＥＭＯ」といった文字列１５３が表示される。
【０００６】
また、心電図，血圧等の生体情報を入力し、入力された生体情報を増幅して変調処理を施して無線で送信する生体情報モニタも提案されている（特許文献１参照）。この生体情報モニタによれば、患者の生体情報を管理するセントラルモニタに患者の生体情報を送信することができる。
【特許文献１】実開平０７−２２７０２号公報
【発明の開示】
【発明が解決しようとする課題】
【０００７】
従来の、デモ画面を有する生体情報モニタでは、デモモードが選択されて「ＤＥＭＯ」といった文字列が画面に表示されているにもかかわらず、その生体情報モニタに備えられた入力コネクタ等にケーブル等が接続された場合、患者の生体情報がモニタリングされる恐れがある。また、これとは逆に、患者の生体情報がモニタリングされている状態で、デモモードが選択された場合、デモモードに入れてしまう恐れもある。従って、生体情報モニタの使い勝手が悪いのみならず患者の容体の変化を把握できないため患者を危険に晒してしまうという問題がある。さらに、このような、患者の生体情報をモニタする生体情報モニタであるベッドサイドモニタから出力された生体情報を通信により取得して患者の生体情報を管理するとともにデモ画面を有するセントラルモニタにおいても、上述した問題が発生する恐れがある。
【０００８】
本発明は、上記事情に鑑み、使い勝手がよいデモ画面を有する生体情報モニタおよびデモ画面を有するセントラルモニタを提供することを目的とする。
【課題を解決するための手段】
【０００９】
上記目的を達成する本発明のデモ画面を有する生体情報モニタは、
患者の生体情報を検出するためのケーブルないしはチューブが接続される１つ以上の患者入力部と、
上記患者入力部の各々に対応した患者入力検出手段と、
患者の生体パラメータを波形ないし数値によって出力する患者画面発生手段と、
デモの波形ないし数値を出力するデモ画面発生手段と、
上記患者入力検出手段の出力に基づき上記患者画面発生手段とデモ画面発生手段の出力信号のいずれかを選択する選択手段と、
上記選択手段が選択した出力信号を表示する表示手段とを有することを特徴とする。
【００１０】
本発明のデモ画面を有する生体情報モニタは、患者入力検出手段の出力に基づき患者画面発生手段とデモ画面発生手段の出力信号のいずれかを選択し、選択した出力信号を表示するものである。このため、患者の生体情報を検出するためのケーブルないしはチューブが接続されている場合、デモ画面の表示を禁止することができる。また、デモ画面が選択されているにもかかわらず患者入力部にケーブルないしチューブが接続された場合、患者の生体情報をモニタリングするための患者画面の表示を禁止することができる。従って、使い勝手がよいデモ画面を有する生体情報モニタを提供することができる。
【００１１】
ここで、上記選択手段は、上記患者入力検出手段が患者入力部に患者に接続するためのケーブルないしはチューブが接続されていることを検出した場合には上記デモ画面発生手段の選択を行なわないものであることが好ましい。
【００１２】
このようにすると、操作者がデモモードを選択した場合であっても、患者の生体情報をモニタリングするための患者画面をそのまま表示させることができる。
【００１３】
また、上記選択手段は、上記デモ画面発生手段の出力信号が選択されている場合に上記患者入力検出手段が患者入力部に患者に接続するためのケーブルないしはチューブが接続されたことを検出した場合には、上記患者画面発生手段の出力信号を選択し直すものであることも好ましい態様である。
【００１４】
このようにすると、デモ画面が表示されている状態において、患者入力部に患者に接続するためのケーブルないしはチューブが接続された場合、デモ画面から抜けて患者の生体情報をモニタリングするための患者画面を表示させることができる。従って、操作の手間が削減され且つデモモードに入ったまま患者の生体情報がモニタリングされるということを防止することができる。
【００１５】
さらに、警告を行なう警告手段をさらに有しており、患者入力検出手段が検出できないケーブルないしはチューブが患者入力部に接続されている場合に、上記ケーブルないしはチューブを使用する生体パラメータの計測開始が指示された時点で測定を行なう旨の警告を行なうことも好ましい。
【００１６】
このようにすると、例えば非観血血圧測定時のカフのチューブのように、生体情報モニタに接続されていることを検出できない場合、操作者の指示により測定を行なうことができる。
【００１７】
また、本発明のデモ画面を有するセントラルモニタは、請求項１に記載の生体情報モニタから出力された生体パラメータ情報を取得するセントラルモニタであって、上記生体情報モニタの選択手段が患者画面発生手段を選択している場合には当該患者の生体パラメータ情報を表示し、デモ画面発生手段の出力信号を選択している場合には表示を行なわないか警告を発することを特徴とする。
【００１８】
本発明のデモ画面を有するセントラルモニタは、上記構成のため、本発明のデモ画面を有する生体情報モニタと連動されることとなり、従って使い勝手がよいデモ画面を有するセントラルモニタを提供することができる。
【発明の効果】
【００１９】
本発明によれば、使い勝手がよく患者を危険に晒すことのないデモ画面を有する生体情報モニタおよびデモ画面を有するセントラルモニタを提供することができる。
【発明を実施するための最良の形態】
【００２０】
以下、本発明の実施の形態について説明する。
【００２１】
図１は、本発明のデモ画面を有する生体情報モニタの一実施形態の外観斜視図である。
【００２２】
図１に示すデモ画面を有する生体情報モニタ（以下、単に生体情報モニタと称する）１は、患者の生体情報をモニタするベッドサイドモニタであり、この生体情報モニタ１には、前面にタッチパネルが装備された表示部１２（本発明にいう表示手段の一例に相当）が備えられている。この生体情報モニタ１への入力動作は、このタッチパネルを通じて行なわれる。
【００２３】
また、生体情報モニタ１の、表示部１２の下方には、本発明にいう患者入力部の一例である心電入力コネクタ１３、観血血圧入力コネクタ１４、酸素飽和度入力コネクタ１５、体温入力コネクタ１６、非観血血圧接続ジョイント１７、および炭酸ガス濃度入力コネクタ１８が備えられている。
【００２４】
さらに、生体情報モニタ１の背面には、テレコントロールユニット１９が備えられている。このテレコントロールユニット１９の上面には、ダイバシティアンテナ１９ａ，１９ｂが配備されている。
【００２５】
図２は、図１に示す生体情報モニタに備えられた各コネクタやジョイントに、各ケーブルやプローブやチューブが接続される様子を示す図である。
【００２６】
図２（ａ）には、生体情報モニタ１に備えられた心電入力コネクタ１３に心電中継ケーブル２３が接続される様子が示されている。
【００２７】
また、図２（ｂ）には、生体情報モニタ１に備えられた観血血圧入力コネクタ１４に観血血圧中継ケーブル２４が接続される様子が示されている。
【００２８】
さらに、図２（ｃ）には、生体情報モニタ１に備えられた酸素飽和度入力コネクタ１５に酸素飽和度センサケーブル２５が接続される様子が示されている。
【００２９】
また、図２（ｄ）には、生体情報モニタ１に備えられた体温入力コネクタ１６に体温プローブ２６が接続される様子が示されている。
【００３０】
さらに、図２（ｅ）には、生体情報モニタ１に備えられた非観血血圧接続ジョイント１７に非観血血圧測定用のカフのチューブ２７が接続される様子が示されている。
【００３１】
また、図２（ｆ）には、生体情報モニタ１に備えられた炭酸ガス濃度入力コネクタ１８に炭酸ガス濃度中継ケーブル２８が接続される様子が示されている。
【００３２】
図３は、本実施形態の生体情報モニタの内部ブロックを示す図である。
【００３３】
尚、本発明に直接関係のないブロックやデバイスは省略してある。中央演算回路（以下ＣＰＵと略記する）３１には、プログラムおよびデータを格納するリード・オンリ・メモリ（以下、ＲＯＭと略記する）３１ａ、演算および一時記憶に使用するランダム・アクセス・メモリ（以下、ＲＡＭと略記する）３１ｂなどが内蔵されている。ＣＰＵ３１は、表示部１２と通信して表示の制御や入力されたキーの判別を行なう。また、ＣＰＵ３１は、心電入力コネクタ１３、観血血圧入力コネクタ１４、酸素飽和度入力コネクタ１５、体温入力コネクタ１６、炭酸ガス濃度入力コネクタ１８の各々にケーブルが接続されているか否かの検出を行なう割り込みポートＰ１，Ｐ２，Ｐ３，Ｐ４，Ｐ５（本発明にいう患者入力検出手段の一例）を有する。さらに、ＣＰＵ３１は、非観血血圧接続ジョイント１７に対応したポートＰ６，Ｐ７（本発明にいう患者入力検出手段の他の一例）を有する。
【００３４】
さらに、ＣＰＵ３１のＲＯＭ３１ａに格納されているプログラムにより、患者の生体パラメータを波形ないし数値によって出力する患者画面発生手段と、デモの波形ないし数値を出力するデモ画面発生手段と、ポートＰ１〜Ｐ７の出力に基づき上記患者画面発生手段とデモ画面発生手段の出力信号のいずれかを選択する選択手段とが実現される。
【００３５】
また、ＣＰＵ３１は、テレメータユニット３７やテレコントロールユニット１９とシリアル通信を行なうためのポートＰ８，Ｐ９を有し、後述するセントラルモニタなどの外部機器との通信を行なう。
【００３６】
ダイバシティアンテナ１９ａ，１９ｂは、テレコントロールのためのアンテナであり、非観血血圧の開始／停止をはじめとするパケット情報を送受信する。尚、テレメータ用のアンテナ３７ａは、生体情報モニタ１の筐体に内蔵されている。
【００３７】
さらに、ＣＰＵ３１は、ポンプユニット３２と通信し、このポンプユニット３２は非観血血圧接続ジョイント１７を通じて不図示のカフに空気を送るとともに、定排弁３３、急排弁３４を制御して排気を行なう。圧センサユニット３５は、ＣＰＵ３１に圧力情報を出力する。これらポンプユニット３２，非観血血圧接続ジョイント１７，定排弁３３，急排弁３４，圧センサユニット３５は、内部チューブ３６を通じて接続されている。
【００３８】
次に、本実施形態の生体情報モニタ１の動作について説明する。先ず、本実施形態の生体情報モニタ１の、表示部１２からキー入力が行なわれた場合の動作について、図４，図５，図６を参照して説明する。
【００３９】
図４は、本実施形態の生体情報モニタの、表示部からキー入力が行なわれた場合に起動するキー入力割り込みルーチンのフローを示す図である。また、図５は、表示部に表示された患者ケーブル接続警告メニューのダイアログを示す図である。さらに、図６は、表示部に表示されたデモモードの画面を示す図である。
【００４０】
表示部１２の前面に配置されたタッチパネルに操作者が触れると、ハードウェア割り込みがかかり、図４に示すキー入力割り込みルーチンが起動する。
【００４１】
先ず、ステップＳ１０１において、現在表示しているメニューと操作者が触れた位置の情報とから、入力されたキーの判定を行なう。
【００４２】
次に、ステップＳ１０２において、デモモードに入るキーが押されたか否かが判定される。デモモードに入るキーが押されていないと判定された場合は他の処理に移る。一方、デモモードに入るキーが押されたと判定された場合はステップＳ１０３に進む。
【００４３】
ステップＳ１０３では、患者ケーブルが接続されているか否かが判定される。患者ケーブルが接続されていると判定された場合はステップＳ１０４に進む。
【００４４】
ステップＳ１０４では、表示部１２に、以下に説明する図５に示す患者ケーブル接続警告メニューのダイアログを表示して、このルーチンを終了する。図５には、患者ケーブル接続警告メニューのダイアログＤ０１が表示されている。このダイアログＤ０１には、患者ケーブルを外さないとデモモードに入れない旨のメッセージＭ０１が示されている。このダイアログＤ０１の下部にあるＯＫボタンＢ０１を押すと元の画面に戻る。
【００４５】
一方、ステップＳ１０３において、患者ケーブルが接続されていないと判定された場合はステップＳ１０５に進む。ステップＳ１０５では、特にダイアログやウィンドウは開かずそのままデモモードに入り、図６に示す擬似的な波形や数値を表示して、このルーチンを終了する。尚、図６には、後述する非観血血圧測定ボタンＢ０２も示されている。
【００４６】
続いて、患者ケーブルが接続された場合の動作について、図７，図８，図９を参照して説明する。
【００４７】
図７は、患者ケーブルが接続された場合に起動する患者ケーブル接続割り込みルーチンのフローを示す図である。また、図８は、表示部に表示された通常モード復帰メニューのダイアログを示す図である。さらに、図９は、表示部に表示された入床ウインドウを示す図である。
【００４８】
操作者が心電入力コネクタ１３、観血血圧入力コネクタ１４、酸素飽和度入力コネクタ１５、体温入力コネクタ１６、炭酸ガス濃度入力コネクタ１８のいずれかに対応するケーブルを差し込むとハードウェア割り込みがかかり、これにより患者ケーブル接続割り込みルーチンが起動する。先ず、ステップＳ２０１において、生体情報モニタ１が現在通常モードとデモモードのいずれで動作しているかを取得する。
【００４９】
次に、ステップＳ２０２において、現在のモードがデモモードであるか否かが判定される。現在のモードがデモモードでないと判定された場合は、そのままこのルーチンを終了する。一方、現在のモードがデモモードであると判定された場合はステップＳ２０３に進む。
【００５０】
ステップＳ２０３では、表示部１２に、図８に示す通常モード復帰メニューのダイアログＤ０２を表示し、このダイアログＤ０２のメッセージＭ０２にて通常モードに戻る旨を操作者に知らせる。ここで、このダイアログＤ０２の下部にあるＯＫボタンＢ０３を押すとステップＳ２０４に進む。
【００５１】
ステップＳ２０４では、図９に示す通常モードの入床ウィンドウＷ０１に移り、これから患者ケーブルがつながれようとしている患者情報の入力を促して、このルーチンを終了する。
【００５２】
続いて、デモモードにおいて非観血血圧測定ボタンＢ０２（図６参照）が押された場合の動作について、図１０を参照して説明する。
【００５３】
図１０は、非観血血圧測定用の前処理ルーチンのフローを示す図である。
【００５４】
操作者が非観血血圧測定ボタンＢ０２を押すと、この非観血血圧測定用の前処理ルーチンが起動する。このルーチンでは、先ずステップＳ３０１において、生体情報モニタ１が現在通常モードとデモモードのいずれで動作しているかを取得する。
【００５５】
次に、ステップＳ３０２において、現在のモードがデモモードであるか否かが判定される。現在のモードがデモモードでないと判定された場合は、そのままこのルーチンを終了する。その後、非観血血圧測定が行なわれることとなる。一方、現在のモードがデモモードであると判定された場合はステップＳ３０３に進む。
【００５６】
ステップＳ３０３では、表示部１２に、前述した図８に示す通常モード復帰メニューのダイアログＤ０２を表示し、このダイアログＤ０２のメッセージＭ０２にて通常モードに戻る旨を操作者に知らせる。ここで、このダイアログＤ０２の下部にあるＯＫボタンＢ０３を押すとステップＳ３０４に進む。
【００５７】
ステップＳ３０４では、前述した図９に示す通常モードの入床ウィンドウＷ０１に移り、これから患者ケーブルがつながれようとしている患者情報の入力を促して、このルーチンを終了する。その後、非観血血圧測定が行なわれることとなる。
【００５８】
非観血血圧測定用のカフのチューブ２７が接続される非観血血圧接続ジョイント１７は、電気的な接点を持っていないので、図７に示す患者ケーブル接続割り込みルーチンのフローチャートを参照して説明したコネクタのようにハードウェア割り込みがかからない。そこで、現在のモードがデモモードにある場合は、操作者が非観血血圧測定ボタンＢ０２を押して計測の意思表示をした時点でデモモードから抜けて非観血血圧測定が行なわれる。尚、上記の実施形態では、通常モードに戻る前にダイアログを表示する例で説明したが、これを省略していきなり入床ウィンドウを表示してもよい。いずれも、本発明の思想の範囲内で自由に変更が可能である。
【００５９】
次に、本発明のデモ画面を有するセントラルモニタの一実施形態について図１１を参照して説明する。
【００６０】
図１１は、図１に示す生体情報モニタの外観斜視図および本発明のデモ画面を有するセントラルモニタの一実施形態の外観斜視図を示す図である。
【００６１】
ここでは、前述したデモ画面を有する生体情報モニタ１と、この生体情報モニタ１と通信可能な他のモニタであるセントラルモニタ２とを使用してデモモードの警告を行なうことのできるシステムを構築した場合の実施形態について具体的に説明する。
【００６２】
図１１に示すように、生体情報モニタ１とテレメータおよびテレコントロールが通信可能な距離にセントラルモニタ２が置かれている。セントラルモニタ２には、不図示のケーブルで接続されてなる表示部１１２が備えられている。この表示部１１２の前面には、生体情報モニタ１の表示部１２の前面と同様に、タッチパネルが装備されており、入力動作はこのタッチパネルを通じて行なわれる。
【００６３】
また、セントラルモニタ２には、生体情報モニタ１に内蔵されているアンテナ３７ａ（図３参照）から送信された電波によるパケット信号を受けるためのアンテナ１３７ａが備えられている。
【００６４】
さらに、セントラルモニタ２の背面には、生体情報モニタ１のテレコントロールユニット１９と通信するためのテレコントロールユニット１１９が備えられている。
【００６５】
また、セントラルモニタ２の背面に備えられたテレコントロールユニット１１９の上面には、ダイバシティアンテナ１１９ａ，１１９ｂが備えられている。
【００６６】
次に、本実施形態のセントラルモニタ２の動作について説明する。先ず、テレメータ通信によるデータの取り込みがあった場合の動作について、図１２，図１３，図１４を参照して説明する。
【００６７】
図１２は、図１１に示すセントラルモニタの、テレメータ通信によるデータ取り込みルーチンのフローを示す図、図１３は、セントラルモニタの表示部に表示されたデモモードの画面を示す図、図１４は、セントラルモニタの表示部に表示された入床ウインドウを示す図である。
【００６８】
本実施形態のセントラルモニタ２は、無線にて他のベッドサイドモニタやテレメータ送信機と定期的に通信し、これらから送られてくる通信パケットを受信して解析し、画面上のあらかじめ床ごとに決められた位置に表示する。ここで、セントラルモニタ２で実行されているメインルーチンから、このテレメータ通信によるデータ取り込みルーチンが呼び出される（コールされる）と、このルーチンが起動する。
【００６９】
先ず、ステップＳ４０１において、通信パケットを取得する。
【００７０】
次に、ステップＳ４０２において、このパケットをデコードして解析する。
【００７１】
さらに、ステップＳ４０３において、パケットを解析した結果、通信元である生体情報モニタ１がデモモードに入っていることを示すフラグが立っていなければそのままこのルーチンを終了して、次の処理に移行する。
【００７２】
一方、フラグが立っている場合には、ステップＳ４０４に進む。ここで、図１３に示すように該当する床（図１４に示すセントラルモニタ１の表示部１１２に表示された入床ウインドウには、８床分の生体情報が表示されており、この生体情報モニタ１の床はＢＥＤ−００１で示されている）に、「現在デモモードです」というメッセージＭ０３と入床ボタンＢ０３とを表示し、波形や数値などのデータはいっさい表示せず、このルーチンを終了する。
【００７３】
この状態で入床ボタンＢ０３を押す。すると、図１４に示すように、患者入床ウインドウＷ０２が開き、患者の入床処理を行なうことができる。入床処理を行なった後は、テレコントロールユニット１９，１１９を通じて遠隔操作にて非観血血圧の測定を行なうことができる。
【００７４】
尚、上述した実施形態では、生体情報モニタとセントラルモニタを無線で通信する例で説明したが、有線で通信しても同じように実現可能である。いずれも、本発明の思想の範囲内で自由に変更が可能である。
【図面の簡単な説明】
【００７５】
【図１】本発明のデモ画面を有する生体情報モニタの一実施形態の外観斜視図である。
【図２】図１に示す生体情報モニタに備えられた各コネクタやジョイントに、各ケーブルやプローブやチューブが接続される様子を示す図である。
【図３】本実施形態の生体情報モニタの内部ブロックを示す図である。
【図４】本実施形態の生体情報モニタの、表示部からキー入力が行なわれた場合に起動するキー入力割り込みルーチンのフローを示す図である。
【図５】表示部に表示された患者ケーブル接続警告メニューのダイアログを示す図である。
【図６】表示部に表示されたデモモードの画面を示す図である。
【図７】患者ケーブルが接続された場合に起動する患者ケーブル接続割り込みルーチンのフローを示す図である。
【図８】表示部に表示された通常モード復帰メニューのダイアログを示す図である。
【図９】表示部に表示された入床ウインドウを示す図である。
【図１０】非観血血圧測定用の前処理ルーチンのフローを示す図である。
【図１１】図１に示す生体情報モニタの外観斜視図および本発明のデモ画面を有するセントラルモニタの一実施形態の外観斜視図を示す図である。
【図１２】図１１に示すセントラルモニタの、テレメータ通信によるデータ取り込みルーチンのフローを示す図である。
【図１３】セントラルモニタの表示部に表示されたデモモードの画面を示す図である。
【図１４】セントラルモニタの表示部に表示された入床ウインドウを示す図である。
【図１５】従来の、デモ画面を有する生体情報モニタの外観を示す図である。
【符号の説明】
【００７６】
１  生体情報モニタ
２  セントラルモニタ
１２，１１２  表示部
１３  心電入力コネクタ
１４  観血血圧入力コネクタ
１５  酸素飽和度入力コネクタ
１６  体温入力コネクタ
１７  非観血血圧接続ジョイント
１８  炭酸ガス濃度入力コネクタ
１９，１１９  テレコントロールユニット
１９ａ，１９ｂ,１１９ａ，１１９ｂ  ダイバシティアンテナ
２３  心電中継ケーブル
２４  観血血圧中継ケーブル
２５  酸素飽和度センサケーブル
２６  体温プローブ
２７  非観血血圧測定用のカフのチューブ
２８  炭酸ガス濃度中継ケーブル
３１  ＣＰＵ
３１ａ  ＲＯＭ
３１ｂ  ＲＡＭ
３２  ポンプユニット
３３  定排弁
３４  急排弁
３５  圧センサユニット
３６  内部チューブ
３７  テレメータユニット
３７ａ，１３７ａ  アンテナ
【図１】
2007215582.tif 000003
【図２】
2007215582.tif 000004
【図３】
2007215582.tif 000005
【図４】
2007215582.tif 000006
【図５】
2007215582.tif 000007
【図６】
2007215582.tif 000008
【図７】
2007215582.tif 000009
【図８】
2007215582.tif 000010
【図９】
2007215582.tif 000011
【図１０】
2007215582.tif 000012
【図１１】
2007215582.tif 000013
【図１２】
2007215582.tif 000014
【図１３】
2007215582.tif 000015
【図１４】
2007215582.tif 000016
【図１５】
2007215582.tif 000017